(57)【要約】【課題】  本体ケース内への水や埃などの浸入を防止することができる携帯型騒音計を提供する。【解決手段】  マイクロホン４のプリアンプケース３に取り付けられる弾性体のＯリング１１と、本体ケース６の開口部１３から空隙を有して突出する弾性体のキートップ１５を備え、Ｏリング１１がプリアンプケース３と本体ケース６の隙間をなくすと共に、キートップ１５の周縁部に形成される鍔部１５ａが本体ケース６とプリント基板１２により挟持・押圧されて本体ケース６とプリント基板１２の隙間をなくす。【選択図】        図１
2010071794.tif 000002
【特許請求の範囲】
【請求項１】
マイクロホンのプリアンプケースに取り付けられる弾性体のＯリングと、本体ケースの開口部から空隙を有して突出する弾性体のキートップを備え、前記Ｏリングが前記プリアンプケースと前記本体ケースの隙間をなくすと共に、前記キートップの周縁部に形成される鍔部が前記本体ケースとプリント基板により挟持・押圧されて前記本体ケースと前記プリント基板の隙間をなくすことを特徴とする携帯型騒音計。
【請求項２】
請求項１記載の携帯型騒音計において、前記キートップは前記本体ケースに配置される複数のスイッチ類を構成すべく一体で形成されることを特徴とする携帯型騒音計。
【発明の詳細な説明】
【技術分野】
【０００１】
本発明は、ポケットに入れて持ち運びが可能な携帯型騒音計に関する。
【背景技術】
【０００２】
騒音測定の現場では、移動して複数の場所で騒音を測定しなければならない。また、騒音の測定には、測定機材も多く移動に非常に手間がかかる。従来の手持ち型の騒音計は、全長で３０ｃｍ程度あり、持ち運びの際には専用のキャリーケースなどを必要としている。
【発明の開示】
【発明が解決しようとする課題】
【０００３】
そこで、簡易な騒音測定で十分な場合には、騒音計をポケットに入れて持ち運びたいという要望がある。しかし、騒音計を小型にするためには、風雨の進入を防ぐ構造に工夫が必要となる。
【０００４】
本発明は、従来の技術が有するこのような問題点に鑑みてなされたものであり、その目的とするところは、本体ケース内への水や埃などの浸入を防止することができる携帯型騒音計を提供しようとするものである。
【課題を解決するための手段】
【０００５】
上記課題を解決すべく請求項１に係る発明は、マイクロホンのプリアンプケースに取り付けられる弾性体のＯリングと、本体ケースの開口部から空隙を有して突出する弾性体のキートップを備え、前記Ｏリングが前記プリアンプケースと前記本体ケースの隙間をなくすと共に、前記キートップの周縁部に形成される鍔部が前記本体ケースとプリント基板により挟持・押圧されて前記本体ケースと前記プリント基板の隙間をなくすものである。
【０００６】
請求項２に係る発明は、請求項１記載の携帯型騒音計において、前記キートップは前記本体ケースに配置される複数のスイッチ類を構成すべく一体で形成されるものである。
【発明の効果】
【０００７】
請求項１に係る発明によれば、Ｏリングを使うことで、小型化を実現しながら、マイクロホンのプリアンプケースと本体ケースの隙間がなくせるので、少々の水滴がかかっても、本体ケース内へ水などが浸入しなくなる。弾性体のＯリングを使うので、プリアンプケースが本体ケースに確実に固定され、がたつかない。また、Ｏリングを使用しない従来のフランジ構造に比べて、材料費を低減でき、加工工数も下がる。更に、キートップの周縁部に形成される鍔部を本体ケースとプリント基板で挟持・押圧する構造とすることで、小型かつ低コストで、ボタン部分からの本体ケース内への水などの浸入を防ぐことができる。
請求項２に係る発明によれば、キートップが複数のスイッチ類を構成すべく一体で形成されているので、複数のスイッチ類を構成することが一度の挟持・押圧作業で行うことができ、組立が容易になり、組立工数の低減に寄与する。
【発明を実施するための最良の形態】
【０００８】
以下に本発明の実施の形態を添付図面に基づいて説明する。ここで、図１は本発明に係る携帯型騒音計の斜視図、図２は同じく要部分解斜視図、図３は組み付けられたキートップの断面図、図４は一体化したキートップの斜視図である。
【０００９】
本発明に係る携帯型騒音計１は、図１に示すように、騒音計本体２、騒音計本体２から突出したプリアンプケース３、プリアンプケース３の先端に設けたマイクロホン４からなる（例えば、全長約１２ｃｍ）。携帯型騒音計１は、騒音計本体２に収納される乾電池で動作する。全長約１２ｃｍの携帯型騒音計１は小型なので、胸ポケットなどに入れて持ち運びすることができる。
【００１０】
騒音計本体２は、４分割の本体ケース６と、本体ケース６に配置されている測定データや設定条件などを表示する液晶画面７と、同じく電源入りや測定開始／測定停止などの操作ボタン８，９などのスイッチからなる。４分割の本体ケース６は、上部表ケース６ａ、上部裏ケース６ｂ、下部表ケース６ｃ、下部裏ケース６ｄから構成される。操作ボタン８，９などのスイッチは、下部表ケース６ｃのから突出するように配置されている。
【００１１】
従来のプリアンプケースは、一本の金属棒から端部フランジ形状を有する筒状になるよう切削加工により製作されていた。形状の精度を保つためにこのような手法をとっていたが、材料の歩留まりが悪く、しかも加工に高い技術が要求される作業であった。また、フランジ付きのプリアンプケースは本体ケースに安定して保持させることができるものの、騒音計の小型化のネックとなっていた。
【００１２】
そこで、携帯型騒音計１では、図２に示すように、プリアンプケース３を本体ケース６の上部表ケース６ａと上部裏ケース６ｂで挟んで固定するために、プリアンプケース３が突出する上部表ケース６ａと上部裏ケース６ｂで形成される開口部１０の内側であって、プリアンプケース３の根元近傍に弾性体でなるＯリング１１を取り付けている。
【００１３】
上部表ケース６ａと上部裏ケース６ｂでＯリング１１を介してプリアンプケース３を押圧することにより、プリアンプケース３が強固に本体ケース６に保持される。また、プリアンプケース３の根元には切込み３ａが形成されており、切込み３ａにプリント基板１２を食い込ませることでプリアンプケース３が回転しなくなる。また、アースも取れる。
【００１４】
そして、プリアンプケース３と開口部１０により形成される隙間は、Ｏリング１１で塞がれる。Ｏリング１１は、プリアンプケース３と開口部１０により形成される隙間から、本体ケース６内に水や埃などが浸入するのを防ぐ。このような構造にすることで、プリアンプケース３を強固に本体ケース６で保持しながら、本体ケース６内への水や埃などの浸入を防ぎつつ、騒音計の小型化を実現することができる。
【００１５】
更に、図１に示すように、下部表ケース６ｃの開口部１３から操作ボタン８，９などのスイッチを構成する弾性体でなるキートップ１５が突出している。図３に示すように、キートップ１５の周縁部には鍔部１５ａが形成されている。鍔部１５ａが本体ケース６の下部表ケース６ｃとプリント基板１２により挟持・押圧され、キートップ１５が本体ケース６に固定される。鍔部１５ａを下部表ケース６ｃとプリント基板１２で挟持・押圧することにより、本体ケース６内への水や埃などの浸入を防ぐことができる。
【００１６】
キートップ１５を指先などで押し込んだ場合に、キートップ１５がプリント基板１２と当接する部分には、導電性の弾性部材１７が取り付けられている。プリント基板１２の電極パターンに導電性の弾性部材１７が当接したときに、電極パターンが短絡することで、操作ボタン８，９などがスイッチの役割を果たすことになる。このような構造にすることで、本体ケース６内への水や埃などの浸入を防ぎつつ、騒音計の小型化を実現することができる。
【００１７】
また、図４に示すように、操作ボタン８，９などの複数のスイッチ類を構成すべくキートップ１５を一体で形成すれば、このようなキートップ１５の鍔部１５ａを下部表ケース６ｃとプリント基板１２で挟持・押圧するだけで複数のスイッチ類を一度の組立作業で構成することができ、組立が容易になって組立工数の低減に寄与することができる。
【産業上の利用可能性】
【００１８】
本発明によれば、騒音計の小型化を図ることができると共に、本体ケース内への水や埃などの浸入を防止することができる。
【図面の簡単な説明】
【００１９】
【図１】本発明に係る携帯型騒音計の斜視図
【図２】本発明に係る携帯型騒音計の要部分解斜視図
【図３】組み付けられたキートップの断面図
【図４】一体化したキートップの斜視図
【符号の説明】
【００２０】
１…携帯型騒音計、２…騒音計本体、３…プリアンプケース、４…マイクロホン、６…本体ケース、６ａ…上部表ケース、６ｂ…上部裏ケース、６ｃ…下部表ケース、６ｄ…下部裏ケース、８，９…操作ボタン、１０，１３…開口部、１１…Ｏリング、１２…プリント基板、１５…キートップ、１５ａ…鍔部、１７…弾性部材。
【図１】
2010071794.tif 000003
【図２】
2010071794.tif 000004
【図３】
2010071794.tif 000005
【図４】
2010071794.tif 000006